(57)【特許請求の範囲】
【請求項１】
複数のポートと、
フレームに格納される優先度と、送信先のポートを特定したポート情報とが対応付けて記憶されたフラッディング範囲テーブルと、
前記フレームをフラッディングする際に、前記フレームに格納された優先度により前記フラッディング範囲テーブルを検索し、特定されたポートへ前記フレームを転送する転送処理部と、
を備えたネットワーク中継装置。
【請求項２】
請求項１に記載のネットワーク中継装置において、
前記フラッディング範囲テーブルには、仮想ネットワークに固有の識別情報が、前記優先度及び前記ポート情報とに対応付けて記憶されており、
前記転送処理部は、前記フレームに格納された優先度及び識別情報により前記フラッディング範囲テーブルを検索し、送信先のポートを特定する、
ネットワーク中継装置。
【請求項３】
請求項２に記載のネットワーク中継装置において、
前記フレームはＶＬＡＮ  ＴＡＧ付きフレームであって、
前記優先度及び識別情報は、ＶＬＡＮ  ＴＡＧのＰＣＰ領域及びＶＩＤ領域に格納された優先度及びＶＩＤである、
ネットワーク中継装置。
【発明の詳細な説明】
【技術分野】
【０００１】
本発明は、ネットワーク中継装置に関する。
【背景技術】
【０００２】
従来、地域ネットワークと広域ネットワークとを接続するネットワーク中継装置を用い、地域ネットワークから送信されたフレームを広域ネットワークへ中継する過程で、フレームに格納された地域ネットワークにおけるネットワーク識別番号であるＶＩＤ（Ｖｅｒｔｕａｌ  Ｌｏｃａｌ  Ａｒｅａ  Ｎｅｔｗｏｒｋ  Ｉｄｅｎｔｉｆｉｅｒ）を広域ネットワークにおけるネットワーク識別情報に変換して中継する先行技術が知られている（例えば、特許文献１参照。）。
【０００３】
先行技術では、広域ネットワークにおけるネットワーク識別情報としてＧＶＩＤ（Ｇｌｏｂａｌ  Ｖｉｒｔｕａｌ  Ｌｏｃａｌ  Ａｒｅａ  Ｎｅｔｗｏｒｋ  Ｉｄｅｎｔｉｆｉｅｒ）を用いている。ＧＶＩＤは、ＶＩＤ及びＰｒｉ／ＣＦＩにより構成されており、地域ネットワークにおけるネットワーク識別情報であるＶＩＤと相互に対応している。ここで、ＧＶＩＤとしてフレームに格納される領域は、ＶＩＤ領域（１２ｂｉｔ）及びＰｒｉ／ＣＦＩ領域（４ｂｉｔ）である。先行技術によれば、広域ネットワークにおいて１６ｂｉｔのＧＶＩＤを使用することにより、広域ネットワークのＶＬＡＮ数の容量を増やすことができる。
【先行技術文献】
【特許文献】
【０００４】
【特許文献１】特許第３６９５４４７号公報
【発明の概要】
【発明が解決しようとする課題】
【０００５】
上述した先行技術のようにネットワークをＶＩＤによって複数のＶＬＡＮに分けて運用する場合において、ＶＩＤが同じＶＬＡＮ上で通信帯域が大小に異なった複数種類の通信が行われているとき、通信帯域の比較的大きい通信でフラッディングが頻繁に発生すると、その他の使用帯域が比較的小さい通信の帯域が圧迫され、ネットワーク全体として通信状態が不安定化するという問題がある。
【０００６】
そこで本発明は、通信帯域が大小に異なる複数種類の通信が存在するネットワークにおいて、通信の種類ごとにフレームのフラッディング範囲を制限できる技術の提供を課題とする。
【課題を解決するための手段】
【０００７】
上記の課題を解決するために本発明のネットワーク中継装置は、複数のポートと、フレームに格納される優先度と、送信先のポートを特定したポート情報とが対応付けて記憶されたフラッディング範囲テーブルと、フレームをフラッディングする際に、フレームに格納された優先度によりフラッディング範囲テーブルを検索し、特定されたポートへフレームを転送する転送処理部と、を備える。
【発明の効果】
【０００８】
本発明のネットワーク中継装置によれば、フレームに格納されている優先度に基づいてフレームのフラッディング範囲を制限することができる。
【図面の簡単な説明】
【０００９】
【図１】本実施形態のネットワーク中継装置を用いたネットワークの構成例を概略的に示す図である。
【図２】フレームの基本的な構成例を示す図である。
【図３】本実施形態のネットワーク中継装置の機能的な構成を概略的に示すブロック図である。
【図４】ＦＤＢテーブルの構成例を概略的に示す表である。
【図５】フラッディング範囲テーブルの構成例を概略的に示す表である。
【図６】本実施形態のネットワーク中継装置で実行されるフレームの転送処理を示すフローチャートである。
【発明を実施するための形態】
【００１０】
以下、本発明の実施形態について図面を参照しながら説明する。
図１は、本実施形態のネットワーク中継装置を用いたネットワークの構成例を概略的に示す図である。なお、図１中に点線で示す矢印は、フレームの転送方向を表している。
【００１１】
ネットワーク内に配置されたネットワーク中継装置１，２，４，６，８は、ＯＳＩ（Ｏｐｅｎ  Ｓｙｓｔｅｍｓ  Ｉｎｔｅｒｃｏｎｎｅｃｔｉｏｎ）参照モデルにおけるレイヤ２のデータ転送機能を備えたスイッチングハブである（以下、「ネットワーク中継装置」を「ＳＷ」と略称する。）。
【００１２】
ＳＷ１は、ポート１ａ〜１ｄ及び図示しない複数のポートを備えている。また、各ＳＷ２，４，６，８もＳＷ１と同様に、それぞれ複数のポート２ａ，２ｂ、ポート４ａ，４ｂ、ポート６ａ，６ｂ、及びポート８ａ，８ｂを備えている。ＳＷ１の各ポート１ａ〜１ｄは、それぞれネットワークケーブル１０を介して各ＳＷ２，４，６，８のポート２ａ，４ａ，６ａ，８ａに接続されている。また、各ＳＷ２，４，６，８のポート２ｂ，４ｂ，６ｂ，８ｂは、それぞれネットワークケーブル１０を介して端末１２，１４，１６，１８のポート１２ａ，１４ａ，１６ａ，１８ａに接続されている。
【００１３】
端末１２，１４，１６，１８は、例えばＰＣ（Ｐｅｒｓｏｎａｌ  Ｃｏｍｐｕｔｅｒ）やワークステーションであり、これらは相互に様々なアプリケーションを用いた通信を行う。また、端末１２，１４，１６，１８には、個々の仮想ネットワーク（ＶＬＡＮ）に固有の識別情報として、ＶＩＤが規定されており、同じＶＩＤに属するＶＬＡＮ内で通信を行うことができる。なお、本実施形態では、端末１２，１４，１６，１８に対し同一のＶＩＤが規定されているものとする。また、各ネットワークケーブル１０は、例えば、１Ｇｂｐｓの通信帯域に対応している。
【００１４】
上記のアプリケーションを用いた通信として、例えば、端末１２と端末１４とは、映像データや音声データ等のように比較的データの転送量が多いアプリケーションを用いた通信を相互に行うものとする。また、各端末１２，１４，１６，１８は、テキストデータのように、比較的データの転送量が少ないアプリケーションを用いた通信を相互に行うものとする。
【００１５】
ＳＷ１，２，４，６，８には、同一のＶＬＡＮ内において各端末１２，１４，１６，１８で実行される様々なアプリケーションを用いた通信に対して、それぞれの優先度が規定されている。
【００１６】
またＳＷ１，２，４，６，８は、フレームの転送方式として一般的な帯域制御によるフレームの転送方式を採用しており、フレーム転送時の優先度に基づいてＶＬＡＮ内におけるフレームの転送量を制御している。各ＳＷ１，２，４，６，８はまた、受信したフレームを同一のＶＬＡＮ内へフラッディングする場合、これに格納されたＶＩＤ及び優先度に基づいて特定されたポートからフレームを送信する。なお、ＶＩＤ及び優先度に基づいて特定されたポートからフレームを送信する手法については別の図面を用いてさらに詳しく後述する。
【００１７】
図２は、フレーム２０の基本的な構成例を示す図である。なお、図２では、一般的なＭＡＣ（Ｍｅｄｉａ  Ａｃｃｅｓｓ  Ｃｏｎｔｒｏｌ）フレームを用いてその基本的な構成を説明する。なお、フレーム２０は、一般的なＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１ＱやＩＥＥＥ８０２．１ｐ等の通信規格に準拠したＶＬＡＮ  ＴＡＧ付きフレームと同様の構成であり、これらの基本的な説明については省略する。
【００１８】
フレーム２０は、ＤＡ（Ｄｅｓｔｉｎａｔｉｏｎ  Ａｄｄｒｅｓｓ）領域２２、ＳＡ（Ｓｏｕｒｃｅ  Ａｄｄｒｅｓｓ）領域２４、ＴＰＩＤ（Ｔａｇ  Ｐｒｏｔｏｃｏｌ  Ｉｄｅｎｔｉｆｉｅｒ）領域２６、ＰＣＰ（Ｐｒｉｏｒｉｔｙ  Ｃｏｄｅ  Ｐｏｉｎｔ）領域２８、ＣＦＩ領域３０、ＶＩＤ領域３２、ＴＹＰＥ領域３４、ペイロード領域３６、及びＦＣＳ（Ｆｒａｍｅ  Ｃｈｅｃｋ  Ｓｅｑｕｅｎｃｅ）領域３８を備える。ＴＰＩＤ領域２６、ＰＣＰ領域２８、ＣＦＩ領域３０、ＶＩＤ領域３２は、ＶＬＡＮ  ＴＡＧの領域に属する。
【００１９】
ＰＣＰ領域２８には、優先度が格納される。ＶＩＤ領域３２には、ＶＩＤが格納される。優先度及びＶＩＤは、図１中に示す端末１２，１４，１６，１８に接続されたＳＷ２，４，６，８によりそれぞれ各領域に格納される。
【００２０】
また、ＳＷ１，２，４，６，８は、受信したフレームに規定された優先度、ＶＩＤ、ＤＡ領域２２に宛先情報として格納された宛先ＭＡＣアドレス、及びＳＡ領域２４に送信元情報として格納された送信元ＭＡＣアドレスを特定し、これらに基づいて、フレームを転送したり、フラッディングフレームの転送を制限したりする。
【００２１】
図３は、本実施形態のネットワーク中継装置の機能的な構成を概略的に示すブロック図である。なお、図１中に示す各ＳＷ１，２，４，６，８の基本的な構成は共通するため、図２では便宜的にＳＷ１を用いてその機能的な構成を説明する。
【００２２】
ＳＷ１は、複数のポート１ａ〜１ｄ、フレーム抽出部４０、転送処理部４２、ＦＤＢ（Ｆｏｗａｒｄｉｎｇ  ＤａｔａＢａｓｅ）テーブル４４、及びフラッディング範囲テーブル４６を備える。なお、図３中に示す複数のポート１ａ〜１ｄは、受信側のポートと送信側のポートとを便宜的に分けて記載している。ポート１ａ〜１ｄは、接続先のＳＷ２，４，６，８からフレームを受信すると、これをフレーム抽出部４０へ転送する。
【００２３】
フレーム抽出部４０は、受信したフレームを転送処理部４２へ転送する過程で、フレームに格納された宛先ＭＡＣアドレス（宛先情報）、送信元ＭＡＣアドレス（送信元情報）、優先度、及びＶＩＤを特定する。なお、フレーム抽出部４０は、特定した宛先ＭＡＣアドレス、送信元ＭＡＣアドレス、優先度、及びＶＩＤの情報を、転送処理部４２へ送る。
【００２４】
〔転送処理部〕
転送処理部４２は、受信したフレームを送信先のポートへ転送する。転送処理部４２は、フレーム抽出部４０からフレームを受信すると、フレームの宛先ＭＡＣアドレスに基づいて受信したフレームがユニキャストフレームか、もしくは、フラッディングするフレームかを判定する。例えば、転送処理部４２は、フレームの宛先ＭＡＣアドレスがブロードキャスト（オールＦ）を示す場合や、ＦＤＢテーブル４４に宛先ＭＡＣアドレスが登録されていない場合に、受信したフレームをフラッディングするフレームであると判定する。
【００２５】
転送処理部４２は、受信したフレームをフラッディングする際に、フラッディング範囲テーブル４６を検索し、特定されたポートからフレームを転送する。具体的に、転送処理部４２は、フレーム抽出部４０により特定されたＶＩＤ及び優先度がフラッディング範囲テーブル４６に登録されているか否かを検索する。転送処理部４２は、フラッディング範囲テーブル４６に検索対象となるＶＩＤ及び優先度が登録されている場合、これらに対応したポート情報に基づいて送信先のポートを特定する。そして、転送処理部４２は、特定されたポートへフレームを転送する。
【００２６】
一方、検索対象となるＶＩＤ及び優先度がフラッディング範囲テーブル４６に登録されていない場合、転送処理部４２は、フレームを受信したポート以外のポートで、かつ、同一のＶＩＤが規定されたフレームを送信する全てのポートへ転送する。なお、転送処理部４２で実行されるフラッディングフレームの転送処理については、別の図面を用いてさらに詳しく後述する。
【００２７】
また、ユニキャストフレームと判定されたフレームに対して、転送処理部４２は、一般的なフレームの転送処理を行う。すなわち、転送処理部４２は、フレームの宛先ＭＡＣアドレスに基づいて、ＦＤＢテーブル４４を検索する。検索した宛先ＭＡＣアドレスがＦＤＢテーブル４４に登録されている場合、転送処理部４２は、宛先ＭＡＣアドレスに基づいてＦＤＢテーブル４４を検索し、特定されたポートへフレームを転送する。
【００２８】
図４は、ＦＤＢテーブル４４の構成例を概略的に示す表である。なお、ＦＤＢテーブル４４は、一般的なＦＤＢテーブルと同様にＭＡＣアドレス、ＶＩＤ、及びポート情報を記憶している。ここでは、図１中に示す端末１２、１４、１６、１８に基づいてＳＷ１のＦＤＢテーブル４４に登録される情報を中心に説明する。
【００２９】
ＦＤＢテーブル４４には、「ＭＡＣアドレス」の欄、「ＶＩＤ」の欄、「ポート」の欄が配置されている。左端の列に配置された「ＭＡＣアドレス」の欄には、宛先となる端末１２，１４，１６，１８に設定されたＭＡＣアドレスが示されている。例えば、端末１２に設定されたＭＡＣアドレスを「Ａ」、端末１４に設定されたＭＡＣアドレスを「Ｂ」、端末１６に設定されたＭＡＣアドレスを「Ｃ」とし、端末１８に設定されたＭＡＣアドレスを「Ｄ」とする。なお、ここでは、端末１２に設定されたＭＡＣアドレス「Ａ」は、ＦＤＢテーブル４４に登録されていないものとする。
【００３０】
中央の列に配置された「ＶＩＤ」の欄には、各端末１４，１６，１８に規定されたＶＩＤの番号が示されている。ここでは一例として、「ＭＡＣアドレス」の欄に示されたＭＡＣアドレス「Ｂ」、「Ｃ」、「Ｄ」に対応するＶＩＤがそれぞれ「１０」であることを示している。
【００３１】
右端の列に配置された「ポート」の欄には、ポート情報として送信先のポートの番号が示されている。「ポート」の欄に示された番号は、「ＭＡＣアドレス」の欄及び「ＶＩＤ」の欄に示されたＭＡＣアドレス及びＶＩＤに対応するフレームの送信先のポートを表している。
【００３２】
例えば、受信したフレームの宛先ＭＡＣアドレスが「Ｂ」で、かつ、ＶＩＤが「１０」の場合、転送処理部４２は、フレームをポート１ｂへ転送する。また、転送処理部４２は、受信したフレームの宛先ＭＡＣアドレスが「Ａ」である場合、ＦＤＢテーブル４４には、ＭＡＣアドレスの欄に「Ａ」が登録されていないため、このフレームをフラッディングするフレームであると判定する。このとき、転送処理部４２は、フラッディング範囲テーブル４６を検索して、このフレームを送信するべきポートを特定する。
【００３３】
〔フラッディング範囲テーブル〕
図５は、フラッディング範囲テーブル４６の構成例を概略的に示す表である。フラッディング範囲テーブル４６には、作業者によりＶＩＤ、優先度、及びポート情報が予め登録されている。ここでは、図１中に示す端末１２、１４、１６、１８に基づいてＳＷ１のフラッディング範囲テーブル４６に登録される情報を中心に説明する。なお、ＳＷ２，４，６，８のフラッディング範囲テーブル４６の基本的な構成や登録される情報は、ＳＷ１のフラッディング範囲テーブル４６と同様である。
【００３４】
フラッディング範囲テーブル４６には、「ＶＩＤ」の欄、「優先度」の欄、及び「ポート」の欄が配置されている。
左端の列に配置された「ＶＩＤ」の欄には、各端末１２，１４，１６，１８に規定されたＶＩＤの番号が示されている。
中央の列に配置された「優先度」の欄には、ＶＩＤに対応する優先度の値が示されている。ここでは、ＶＩＤ「１０」に対応する優先度が示されている。
【００３５】
なお、「優先度」の欄に示された優先度の値は、一例として、優先度が最も高い値を「１」として表し、「２」及び「３」は、番号が大きくなるに従って優先度が下がることを表している。例えば、「優先度」の欄に示される「１」の値は、図１中に示す端末１２及び端末１４による比較的データの転送量が多いアプリケーションを用いた通信の優先度を表している。また、「２」の値は、各端末１２，１４，１６，１８による比較的データ量が少ないアプリケーションを用いた通信の優先度を表している。また、「優先度」の欄に示される「３」の値は、その他のアプリケーションを用いた通信の優先度を表している。
【００３６】
右端の列に配置された「ポート」の欄には、ポート情報として送信先のポートの番号が示されている。「ポート」の欄に示された番号は、「ＶＩＤ」の欄及び「優先度」の欄に示されたＶＩＤ及び優先度を含むフレームを送信するポートを表している。
【００３７】
図３中に示す転送処理部４２は、フラッディングするフレームと判定したフレームに対して、予めフレーム抽出部４０で特定したＶＩＤ及び優先度がフラッディング範囲テーブル４６に登録されているか否かを検索する。検索対象となるＶＩＤ及び優先度がフラッディング範囲テーブル４６に登録されている場合、転送処理部４２は、ＶＩＤ及び優先度に対応してフラッディング範囲テーブル４６に登録されたポート番号を特定する。例えば、フレーム抽出部４０で特定したフレームのＶＩＤが「１０」で、かつ、優先度が「１」の場合、転送処理部４２は、フラッディング範囲テーブル４６においてこれらの値に対応して登録されたポート番号（ポート１ａ，１ｂ）を特定し、特定したポート１ａ，１ｂへフレームを転送する。
【００３８】
また、検索対象となるＶＩＤ及び優先度がフラッディング範囲テーブル４６に登録されていない場合、転送処理部４２は、フレームを受信したポート以外の全てのポートから一斉に送信する。例えば、図１中に示すＳＷ１のポート１ａ〜１ｄは、同一のＶＬＡＮに所属する端末１２，１４，１６，１８へ向けてフレームを転送する。このため、ＶＩＤ「１０」が規定されたフラッディングフレームは、ＳＷ１においてフレームを受信したポート（例えば、ポート１ａ）以外の全てのポート（例えば、ポート１ｂ〜１ｄ）から送信される。
【００３９】
このように、ＳＷ１，２，４，６，８は、フラッディング範囲テーブル４６に登録されたＶＩＤ及び優先度に基づいて、同一のＶＬＡＮ内でフレームをフラッディングするポートを特定しており、フレームのフラッディング範囲を制限することができる。
【００４０】
従来の一般的なネットワーク中継装置では、例えば、ＦＤＢテーブルに検索対象となる宛先ＭＡＣアドレスが登録されていない場合、フレームを受信したポート以外のポートからフラッディングしていた。また、ネットワーク中継装置は、ＶＬＡＮ  ＴＡＧ付きフレームをフラッディングする場合、ネットワーク中継装置に配置された全てのポートのうち、フラッディングするフレームのＶＩＤに基づいて特定されたポートからフラッディングする。このとき、ネットワーク中継装置は、上記のＶＩＤに基づいてフレームの送受信を行っていないポートからフレームをフラッディングすることはないため、その分フラッディングするポートの数は制限することができる。
【００４１】
本実施形態におけるネットワーク中継装置では、上記のＶＩＤに基づいてフラッディングするポートの数を制限することに加えて、フラッディング範囲テーブル４６を用いることで同一のＶＬＡＮ内における優先度に応じてフラッディングするポートの数をさらに制限している。
【００４２】
図６は、本実施形態のネットワーク中継装置で実行されるフレームの転送処理を示すフローチャートである。以下、手順に沿って説明する。
【００４３】
ステップ１００：いずれかのポート１ａ〜１ｄにおいて受信されたフレームは、フレーム抽出部４０へ転送される。このとき、フレーム抽出部４０は、受信したフレームの宛先ＭＡＣアドレス、ＶＩＤ、及び優先度を特定した上で、フレームを転送処理部４２へ転送する。
【００４４】
ステップＳ１０２：転送処理部４２は、フレームのＤＡ領域２２に規定された宛先ＭＡＣアドレスに基づいて、転送されたフレームがユニキャストフレームか、若しくは、フラッディングフレームかを判定する。転送されたフレームの宛先ＭＡＣアドレスがブロードキャストアドレスやマルチキャストアドレス等のフラッディングフレームである場合（Ｎｏ）、転送処理部４２は、次のステップＳ１１２へ進む。一方、転送されたフレームの宛先ＭＡＣアドレスがユニキャストアドレスを示すユニキャストフレームである場合（Ｙｅｓ）、転送処理部４２は、フレーム抽出部４０で特定した宛先ＭＡＣアドレス及びＶＩＤがＦＤＢテーブル４４に登録されているか否かを検索する（ステップＳ１０４）。
【００４５】
ステップＳ１０６：転送処理部４２は、特定した宛先ＭＡＣアドレス及びＶＩＤがＦＤＢテーブル４４に登録されている否かを判定する。転送処理部４２は、検索した宛先ＭＡＣアドレス及びＶＩＤがＦＤＢテーブル４４に登録されている場合（Ｙｅｓ）、これらに対応してＦＤＢテーブル４４に登録されたポートへフレームを転送する（ステップＳ１０８）。転送されたフレームは、転送先のポートにより送信され（ステップＳ１１０）、この処理を終了する。一方、宛先ＭＡＣアドレス及びＶＩＤがＦＤＢテーブル４４に登録されていない場合（Ｎｏ）、転送処理部４２は、次のステップＳ１１２へ進む。
【００４６】
ステップＳ１１２：転送処理部４２は、フラッディングフレームと判定したフレーム（ステップＳ１０２）、及び、ＦＤＢテーブル４４に宛先ＭＡＣアドレス及びＶＩＤが登録されていなかったフレーム（ステップＳ１０６）に対して、フレーム抽出部４０で特定したＶＩＤ及び優先度がフラッディング範囲テーブル４６に登録されているか否かを検索する。
【００４７】
ステップＳ１１４：転送処理部４２は、検索対象となるＶＩＤ及び優先度がフラッディング範囲テーブル４６に登録されている場合（Ｙｅｓ）、ＶＩＤ及び優先度に対応してフラッディング範囲テーブル４６に登録されたポートを特定し、特定したポートへフレームを転送する（ステップＳ１１６）。転送されたフレームは、転送先のポートから送信され（ステップＳ１１０）、この処理を終了する。
【００４８】
一方、検索したＶＩＤ及び優先度がフラッディング範囲テーブル４６に登録されていない場合（ステップＳ１１４：Ｎｏ）、転送処理部４２は、同一のＶＩＤに基づいてフレームを転送する全てのポートへフレームを転送する（ステップＳ１１８）。転送されたフレームは、転送先のポートにより送信され（ステップＳ１１０）、この処理を終了する。
【００４９】
このように、本実施形態のネットワーク中継装置によれば、ＶＩＤ及び優先度に基づいて、フラッディングフレームを転送するポートの数を予め限定しておくことで、同一のＶＬＡＮ内における優先度に応じてフレームのフラッディング範囲を制限することができる。このため、ＶＬＡＮ内におけるいずれかの優先度に基づくフレームの転送処理においてフラッディングフレームが発生しても、これが他の優先度に基づくフレームの通信帯域を圧迫してしまうことを未然に防止することができる。
【００５０】
また、ＳＷ１，２，４，６，８を管理する作業者は、予めアプリケーションと優先度を関連付けておけば、フラッディング範囲テーブル４６に所定の優先度を登録するだけで、アプリケーションごとにフラッディングフレームを送信するポートの数を制限することができる。
【００５１】
また、データ量の多いアプリケーションを用いた通信により中継されるフレームのＶＩＤ及び優先度をフラッディング範囲テーブル４６に登録しておけば、この通信においてフラッディングフレームが発生しても、これがデータ量の少ないアプリケーションを用いた通信の通信帯域を圧迫することを防止することができる。
【００５２】
また、本実施形態の変形例として、図５に示すフラッディング範囲テーブルから「ＶＩＤ」の欄を削除してもよい。すなわち、フラッディング範囲テーブルには、優先度とポート情報とを対応付けて登録するようにしてもよい。変形例において、転送処理部は、フレームに格納された優先度に基づいて、フレームのフラッディング範囲を制限することができる。
【符号の説明】
【００５３】
１，２，４，６，８      ＳＷ（ネットワーク中継装置）
１ａ〜１ｄ，２ａ，２ｂ，４ａ，４ｂ，６ａ，６ｂ，８ａ，８ｂ  ポート
４０    フレーム抽出部
４２    転送処理部
４６    フラッディング範囲テーブル
【図１】
0005458340.tif 000002
【図２】
0005458340.tif 000003
【図３】
0005458340.tif 000004
【図４】
0005458340.tif 000005
【図５】
0005458340.tif 000006
【図６】
0005458340.tif 000007